(57)【要約】【課題】迅速に締結できる締結具及びこの締結具を用いたコネクタを提供する。【解決手段】締結具１０は、軸部１ａと軸部１ａより外径の大きい頭部１ｂを有する棒状締結部材１と、軸部１ａが挿入される穴２ａの中心から放射状に延びる複数のスリット２ｂで区画される複数の弾性片２ｃを有する板状締結部材２で構成される。穴２ａの内径は軸部１ａの外径より小さく形成され、穴２ａに前記軸部を挿入すると、軸部１ａは板状締結部材２に対して抜去困難に複数の弾性片２ｃの先端円弧に係止される。コネクタ３０は、複数の棒状締結部材１と、複数の弾性片２ｃつき穴２ａが一列に配置された板状締結部材２と、でプリント基板６に締結される。【選択図】        図１
2007048566.tif 000002
【特許請求の範囲】
【請求項１】
軸部とこの軸部より外径の大きい頭部を有する棒状締結部材と、
前記軸部が挿入される穴の中心から放射状に延びる複数のスリットで区画される複数の弾性片を有する板状締結部材と、で構成され、
前記穴の内径は前記軸部の外径より小さく形成され、当該穴に前記軸部を挿入すると、当該軸部は前記板状締結部材に対して抜去困難に前記複数の弾性片に係止される締結具。
【請求項２】
軸部とこの軸部より外径の大きい頭部を有する棒状締結部材と、
前記軸部が挿入される穴の中心から所定の間隔を設けて互いに平行に延びる一対のスリットで区画される一対の弾性片を有する板状締結部材と、で構成され、
前記穴の内径は前記軸部の外径より小さく形成され、当該穴に前記軸部を挿入すると、当該軸部は前記板状締結部材に対して抜去困難に前記一対の弾性片に係止される締結具。
【請求項３】
前記軸部が挿入される穴は丸穴で形成され、当該丸穴に前記軸部を挿入すると、当該軸部は前記板状締結部材に対して抜去困難に前記複数の弾性片の先端円弧に係止される請求項１又は２記載の締結具。
【請求項４】
前記板状締結部材は、前記複数の弾性片を有する複数の前記穴を設ける請求項１から３のいずれかに記載の締結具。
【請求項５】
前記軸部は、前記複数の弾性片の先端円弧に係止される部位に円周溝を設ける請求項３又は４記載の締結具。
【請求項６】
前記軸部は、先端部近傍から前記複数の弾性片の先端円弧に係止される部位に至る領域に複数のＶ字状の円周溝を設ける請求項３又は４記載の締結具。
【請求項７】
プリント基板の実装面に対して直交する方向から相手側コネクタが接続される垂直取り付け形のコネクタであって、
前記相手側コネクタに挿入されるためのヘッダー部がフレーム部から突出し、当該ヘッダー部と当該フレーム部が一体で形成されているハウジングと、
前記ヘッダー部の両側面に配列される複数のコンタクトと、
軸部とこの軸部より外径の大きい頭部を有する複数の棒状締結部材と、
前記軸部が挿入される複数の穴の中心から放射状に延びる複数のスリットで区画される複数の弾性片を有し、この複数の穴が一列に設けられている板状締結部材と、を備え、
前記ハウジングは、前記ヘッダー部の頂面から前記フレーム部の底面に貫通して前記棒状締結部材が挿入可能な複数の貫通穴を設け、
前記穴の内径は前記軸部の外径より小さく形成され、前記貫通穴を介して当該穴に前記軸部を挿入すると、当該軸部は前記板状締結部材に対して抜去困難に前記複数の弾性片に係止され、前記ハウジングが前記プリント基板に締結されるコネクタ。
【請求項８】
プリント基板の実装面に対して直交する方向から相手側コネクタが接続される垂直取り付け形のコネクタであって、
前記相手側コネクタに挿入されるためのヘッダー部がフレーム部から突出し、当該ヘッダー部と当該フレーム部が一体で形成されているハウジングと、
前記ヘッダー部の両側面に配列される複数のコンタクトと、
軸部とこの軸部より外径の大きい頭部を有する複数の棒状締結部材と、
前記軸部が挿入される複数の穴の中心から所定の間隔を設けて互いに平行に延びる一対のスリットで区画される一対の弾性片を有し、この複数の穴が一列に設けられている板状締結部材と、を備え、
前記ハウジングは、前記ヘッダー部の頂面から前記フレーム部の底面に貫通して前記棒状締結部材が挿入可能な複数の貫通穴を設け、
前記穴の内径は前記軸部の外径より小さく形成され、前記貫通穴を介して当該穴に前記軸部を挿入すると、当該軸部は前記板状締結部材に対して抜去困難に前記一対の弾性片に係止され、前記ハウジングが前記プリント基板に締結されるコネクタ。
【請求項９】
前記軸部が挿入される複数の穴は丸穴で形成され、前記貫通穴を介して当該丸穴に前記軸部を挿入すると、当該軸部は前記板状締結部材に対して抜去困難に前記複数の弾性片の先端円弧に係止され、前記ハウジングが前記プリント基板に締結される請求項７又は８記載のコネクタ。
【請求項１０】
前記ヘッダー部の頂面と前記複数の棒状締結部材との間に細長の金属板が介装される請求項７から９のいずれかに記載のコネクタ。
【請求項１１】
前記軸部は、前記複数の弾性片の先端円弧に係止される部位に円周溝を設ける請求項９又は１０記載のコネクタ。
【請求項１２】
前記軸部は、先端部近傍から前記複数の弾性片の先端円弧に係止される部位に至る領域に複数のＶ字状の円周溝を設ける請求項９又は１０記載のコネクタ。
【発明の詳細な説明】
【技術分野】
【０００１】
本発明は、締結具及びこの締結具を用いたコネクタに関する。例えば、プリント基板用のコネクタは、締結具を用いてプリント基板に締結される。
【背景技術】
【０００２】
例えば、プリント基板用のコネクタは、細長のハウジングの両端にフランジ部を有し、一対のフランジ部がねじなどの締結具でプリント基板に取り付けられている。このようなコネクタは、複数のコンタクトが配列されていない部位に、前記フランジ部が突出形成されているので、プリント基板への占有領域を大きくして、好ましくない。
【０００３】
前述のようなプリント基板用のコネクタに対して、プリント基板に対して締め付け固定手段により固定されるプリント基板用コネクタを比較的小型寸法にしたコネクタが発明されている（例えば、特許文献１参照）。
【０００４】
特許文献１によるコネクタは、突壁を含む細長のハウジングを備えている。そして、突壁の両側面に沿って複数のコンタクトが配列されている。突壁には、長さ方向の複数の箇所に底面に向けて貫通する貫通穴が形成されている。突壁の頂面上には、貫通穴に対応する穴を有する細長の金属板が配置されている。このコネクタは、プリント基板の所定位置に配置されている。リベットは、細長の金属板の穴及びハウジングの貫通穴を貫通する。そして、リベットがプリント基板の反実装面に配置される細長の金属板に対して係合することにより、このコネクタは、プリント基板に強固に固定され、同時に十分な機械的補強が成される、としている。
【特許文献１】特開平１１−３３９９０３号公報
【発明の開示】
【発明が解決しようとする課題】
【０００５】
例えば、パッケージされたＩＣやウェハ等の半導体部品を試験する半導体試験装置は、ＤＵＴ（Ｄｅｖｉｃｅ  Ｕｎｄｅｒ  Ｔｅｓｔ）が搭載されるＤＵＴボード、又はＤＵＴと接触するテストボードを有するテストヘッドを備えている。このような半導体試験装置、特にメモリテスティング装置は、多数のＤＵＴを一括して試験するために、当該メモリテスティング装置におけるテストヘッドにおいては、例えば、多数のＤＵＴと接続するディアルインラインプラグがテストボードに多数取り付けられている。９６個のディアルインラインプラグが放射状にテストボードに取り付けられている。
【０００６】
特許文献１によるコネクタは、例えば、前述のディアルインラインプラグであって、リベットの先端を潰すように押圧変形して、このプラグがテストボードに取り付けられる。特許文献１によるコネクタは、一つのハウジングに対して５本のリベットが用意されている。したがって、一枚のテストボードを製作するためには、約５００本のリベットのかしめ付け作業が必要である。リベットをねじに変更しても、約５００本のねじ回し作業が必要になる。被締結体を迅速に締結する締結具が求められる。又、迅速に締結できる締結具を用いたコネクタが求められる。そして、これらのことが本発明の課題といってよい。
【０００７】
本発明は、このような問題に鑑み、迅速に締結できる締結具及びこの締結具を用いたコネクタを提供することを目的とする。
【課題を解決するための手段】
【０００８】
発明者は、上記目的を満たすため、一方の締結具をリベット状部材とし、他方の締結具を前記リベット状部材が挿入されると弾性爪で不可逆的に係止される板状部材とした一組の締結具で構成し、及び、コネクタは、この一組の締結具を用いてプリント基板に締結される構造とし、以下のような新たな締結具及びこの締結具を用いたコネクタを発明した。
【０００９】
（１）  軸部とこの軸部より外径の大きい頭部を有する棒状締結部材と、前記軸部が挿入される穴の中心から放射状に延びる複数のスリットで区画される複数の弾性片を有する板状締結部材と、で構成され、前記穴の内径は前記軸部の外径より小さく形成され、当該穴に前記軸部を挿入すると、当該軸部は前記板状締結部材に対して抜去困難に前記複数の弾性片に係止される締結具。
【００１０】
（１）の発明による締結具は、棒状締結部材が、軸部と軸部より外径の大きい頭部を有している。板状締結部材は、軸部が挿入される穴を有している。又、板状締結部材は、この穴の中心から放射状に延びる複数のスリットで区画される複数の弾性片を有している。そして、棒状締結部材と板状締結部材で締結具が構成される。
【００１１】
棒状締結部材は、金属棒で形成されることが好ましく、防錆の観点からはステンレス棒が好ましく用いられる。頭部は軸部より外径の大きいとは、軸部に段差が設けられることを意味していており、この段差が被締結体に当接して締結を可能とする。後述するように、棒状締結部材を板状締結部材の穴に挿入するだけで締結できるので、棒状締結部材の頭部は、ボルトの頭部のように回転すべく六角又は四角に形成する必要はない。又、棒状締結部材の頭部は、ねじの頭部のように回転すべく十字穴やすり割溝を設ける必要もない。棒状締結部材の頭部は、リベットの頭部のように半球状に形成されてもよく、円柱状に形成されてもよい。軸部の長さは、被締結体に対応して適宜設定される。
【００１２】
板状締結部材は、金属板で形成されることが好ましく、防錆の観点からはステンレス板が好ましく用いられる。軸部が挿入される穴は後述するように丸穴であってよく、複数のスリットで区画される弾性片が矩形状となるように多角形の角穴であってもよい。そして、穴の中心から複数のスリットが放射状に延びている。複数のスリットは等角度で設けられることが好ましく、複数のスリットの幅は同一であることが好ましい。スリットは三つ以上設けられてよく、穴の直径が大きくなるほどスリットの数を増加することが可能である。
【００１３】
放射状に延びる複数のスリットの終端は、同一円周状に位置していることが好ましく、この複数のスリットの終端に、スリットの幅より大きい穴が設けられてもよい。又、この複数のスリットの終端に、円周方向に延びる交差スリットを設けてもよい。前記スリットの幅より大きい穴や交差スリットを設けることにより、複数のスリットで区画される複数の弾性片の撓み量が調整できる。複数の弾性片はスリットで区画されており、後述するように各弾性片の先端は円弧に形成されてもよい。軸部が挿入される穴とは、前記複数の円弧で非連続的に囲われた仮想円ということもできる。又、各弾性片の先端は直線状に形成され、軸部に点接触するようにしてもよい。このようなスリット付き穴は、例えば、打ち抜き加工で形成される。
【００１４】
そして、（１）の発明による締結具は、穴の内径は軸部の外径より小さく形成されている。この穴に軸部を挿入すると、軸部は板状締結部材に対して抜去困難に複数の弾性片に係止される。
【００１５】
（１）の発明による締結具は、板状締結部材に設けられた複数の弾性片を有する穴に棒状締結部材の軸部を挿入することにより、被締結体を迅速に締結できる。従来のリベットのようにかしめ付け作業や、従来のねじのようにねじ回し作業を不要としているからである。ここで、穴に軸部を挿入するとは、あくまで相対的なものであって、被締結体から突出する軸部に板状締結部材の穴を挿入してもよく、板状締結部材を被締結体に保持し、棒状締結部材を前記穴に挿入してもよい。又、複数の弾性片の先端は、棒状締結部材が挿入される方向と反対側に隆起するように予め突出形成されてもよく、複数の弾性片の先端は、板状締結部材と同一平面を共有し、棒状締結部材が挿入されることにより、棒状締結部材が挿入される方向と反対側に隆起するように複数の弾性片が撓むようにしてもよい。
【００１６】
（２）  軸部とこの軸部より外径の大きい頭部を有する棒状締結部材と、前記軸部が挿入される穴の中心から所定の間隔を設けて互いに平行に延びる一対のスリットで区画される一対の弾性片を有する板状締結部材と、で構成され、前記穴の内径は前記軸部の外径より小さく形成され、当該穴に前記軸部を挿入すると、当該軸部は前記板状締結部材に対して抜去困難に前記一対の弾性片に係止される締結具。
【００１７】
（２）の発明による締結具は、棒状締結部材が、軸部と軸部より外径の大きい頭部を有している。板状締結部材は、軸部が挿入される穴を有している。又、板状締結部材は、この穴の中心から所定の間隔を設けて互いに平行に延びる一対のスリットで区画される複数の弾性片を有している。そして、棒状締結部材と板状締結部材で締結具が構成される。
【００１８】
軸部が挿入される穴は後述するように丸穴であってよく、一対の複数のスリットで区画される弾性片が矩形状となるように四角穴であってもよい。そして、穴の中心から所定の間隔を設けて互いに平行に一対のスリットが延びている。互いに平行に延びる一対のスリットの終端は、穴の中心から等距離であることが好ましく、この一対のスリットの終端は円弧に形成されてもよい。一対のスリットの幅は同一であることが好ましい。そして、一対の弾性片は、一対のスリットで区画されており、後述するように各弾性片の先端は円弧に形成されてもよい。軸部が挿入される穴とは、前記一対の円弧で非連続的に囲われた仮想円ということもできる。又、一対の各弾性片の先端は直線状に形成され、軸部に点接触するようにしてもよい。このようなスリット付き穴は、例えば、打ち抜き加工で形成される。
【００１９】
そして、（２）の発明による締結具は、穴の内径は前記軸部の外径より小さく形成されている。この穴に軸部を挿入すると、軸部は板状締結部材に対して抜去困難に一対の弾性片に係止される。
【００２０】
（２）の発明による締結具は、板状締結部材に設けられた一対の弾性片を有する穴に棒状締結部材の軸部を挿入することにより、被締結体を迅速に締結できる。従来のリベットのようにかしめ付け作業や、従来のねじのようにねじ回し作業を不要としているからである。ここで、穴に軸部を挿入するとは、あくまで相対的なものであって、被締結体から突出する軸部に板状締結部材の穴を挿入してもよく、板状締結部材を被締結体に保持し、棒状締結部材を前記穴に挿入してもよい。又、一対の弾性片の先端は、棒状締結部材が挿入される方向と反対側に隆起するように予め突出形成されてもよく、一対の弾性片の先端は、板状締結部材と同一平面を共有し、棒状締結部材が挿入されることにより、棒状締結部材が挿入される方向と反対側に隆起するように一対の弾性片が撓むようにしてもよい。
【００２１】
（３）  前記軸部が挿入される穴は丸穴で形成され、当該丸穴に前記軸部を挿入すると、当該軸部は前記板状締結部材に対して抜去困難に前記複数の弾性片の先端円弧に係止される（１）又は（２）記載の締結具。
【００２２】
軸部が挿入される穴は丸穴であってよく、丸穴の中心から複数のスリットが放射状に延びてもよく、丸穴の中心から所定の間隔を設けて互いに平行に一対のスリットが延びてもよい。複数の弾性片又は一対の弾性片は、放射状に延びる複数のスリット又は互いに平行に一対のスリットで区画されるので、各弾性片の先端は円弧に形成される。軸部が挿入される丸穴は、複数の円弧又は一対の円弧で非連続的に囲われた仮想円ということもできる。このようなスリット付き穴は、例えば、打ち抜き加工で形成される。そして、軸部は板状締結部材に対して抜去困難に複数の弾性片又は一対の弾性片の先端円弧に係止される。
【００２３】
（４）  前記板状締結部材は、前記複数の弾性片を有する複数の前記穴を設ける（１）から（３）のいずれかに記載の締結具。
【００２４】
（４）の発明による締結具は、例えば、複数の弾性片を有する複数の穴が板状締結部材に点在してもよく、複数の弾性片を有する複数の穴が板状締結部材に規則性をもって配列させてもよい。
【００２５】
ここで、複数の穴が点在しているとは、複数の穴が無秩序に点在していることを意味しているとは限らない。複数の穴を板状締結部材に適正配置できることをも意味している。又、複数の穴が規則性をもって配列されているとは、適正配置の一形態であるが、具体的には、複数の穴を格子状に配列することが考えられる。この場合の格子形状は矩形あるいは菱形であってもよい。又、複数の穴を一列に等間隔で配列してもよい。更には、複数の穴を同心円状に配列してもよい。
【００２６】
（５）  前記軸部は、前記複数の弾性片の先端円弧に係止される部位に円周溝を設ける（３）又は（４）記載の締結具。
【００２７】
本発明による締結具は、複数の弾性片の先端円弧におけるエッジが軸部の外周に食い込むように係止するので、軸部の外周は一定以上の表面粗さが必要である。軸部を切削加工することにより、軸部の外周は複数の条溝が形成されて一定以上の表面粗さとなり、本発明による締結具は実用上、支障がない。しかし、本発明による締結具は、外観から係止状態が確認できるという安心感に乏しい。（５）の発明による締結具は、締結具の係止状態が確認できるように、複数の弾性片の先端円弧に係止される軸部の部位に円周溝を設けることもできる。
【００２８】
（６）  前記軸部は、先端部近傍から前記複数の弾性片の先端円弧に係止される部位に至る領域に複数のＶ字状の円周溝を設ける（３）又は（４）記載の締結具。
【００２９】
例えば、被締結体は締結される方向にバラツキがあることが想定される。被締結体の厚さにバラツキがあることが想定されるといってもよい。（６）の発明による締結具は、このようなバラツキを吸収すべく、軸部の先端部近傍から複数の弾性片の先端円弧に係止される部位に至る領域に複数のＶ字状の円周溝を設けることもできる。
【００３０】
（７）  プリント基板の実装面に対して直交する方向から相手側コネクタが接続される垂直取り付け形のコネクタであって、前記相手側コネクタに挿入されるためのヘッダー部がフレーム部から突出し、当該ヘッダー部と当該フレーム部が一体で形成されているハウジングと、前記ヘッダー部の両側面に配列される複数のコンタクトと、軸部とこの軸部より外径の大きい頭部を有する複数の棒状締結部材と、前記軸部が挿入される複数の穴の中心から放射状に延びる複数のスリットで区画される複数の弾性片を有し、この複数の穴が一列に設けられている板状締結部材と、を備え、前記ハウジングは、前記ヘッダー部の頂面から前記フレーム部の底面に貫通して前記棒状締結部材が挿入可能な複数の貫通穴を設け、前記穴の内径は前記軸部の外径より小さく形成され、前記貫通穴を介して当該穴に前記軸部を挿入すると、当該軸部は前記板状締結部材に対して抜去困難に前記複数の弾性片に係止され、前記ハウジングが前記プリント基板に締結されるコネクタ。
【００３１】
（７）の発明によるコネクタは、プリント基板の実装面に対して直交する方向から相手側コネクタが接続される垂直取り付け形のコネクタである。そして、ハウジングと複数のコンタクトと複数の棒状締結部材及び板状締結部材を備えている。ハウジングは、相手側コネクタに挿入されるためのヘッダー部がフレーム部から突出している。ハウジングは、ヘッダー部とフレーム部が一体で形成されている。複数のコンタクトは、ヘッダー部の両側面に配列されている。棒状締結部材は、軸部とこの軸部より外径の大きい頭部を有している。板状締結部材は、軸部が挿入される複数の穴を有している。板状締結部材は、各穴の中心から放射状に延びる複数のスリットで区画される複数の弾性片を有している。そして、板状締結部材は、複数の穴が一列に設けられている。
【００３２】
一般に、複数のコンタクトがヘッダー部の両側面に配列されているコネクタは、ディアルインラインコネクタと呼ばれる。（７）の発明によるコネクタは、ディアルインラインプラグであってよく、例えば、相手側コネクタはヘッダー部の挿抜力をほとんど必要としないＺＩＦ（Ｚｅｒｏ  Ｉｎｓｅｒｔｉｏｎ  Ｆｏｒｃｅ）コネクタであってよい。そして、プリント基板は、例えば、半導体試験装置に用いられるテストボードであってよい。例えば、このテストボードに本発明によるコネクタが多数取り付けられる。
【００３３】
そして、（７）の発明によるコネクタは、ヘッダー部の頂面からフレーム部の底面に貫通して棒状締結部材が挿入可能な複数の貫通穴が、ハウジングに設けられている。板状締結部材に設けられた各穴の内径は、軸部の外径より小さく形成されている。そして、貫通穴を介して穴に軸部を挿入すると、軸部は板状締結部材に対して抜去困難に複数の弾性片に係止することにより、コネクタがプリント基板に締結される。
【００３４】
（７）の発明によるコネクタは、板状締結部材に設けられた複数の弾性片を有する穴に棒状締結部材の軸部を挿入することにより、コネクタをプリント基板に迅速に締結できる。従来のリベットのようにかしめ付け作業を不要としているからである。ここで、穴に軸部を挿入するとは、あくまで相対的なものであって、プリント基板から突出する軸部に板状締結部材の穴を挿入してもよく、板状締結部材をプリント基板に保持し、棒状締結部材を前記穴に挿入してもよい。又、複数の弾性片は、棒状締結部材が挿入される方向と反対側に隆起するように予め突出形成されてもよく、複数の弾性片は、板状締結部材と同一平面を共有し、棒状締結部材が挿入されることにより、棒状締結部材が挿入される方向と反対側に隆起するように複数の弾性片が撓むようにしてもよい。
【００３５】
（８）  プリント基板の実装面に対して直交する方向から相手側コネクタが接続される垂直取り付け形のコネクタであって、前記相手側コネクタに挿入されるためのヘッダー部がフレーム部から突出し、当該ヘッダー部と当該フレーム部が一体で形成されているハウジングと、前記ヘッダー部の両側面に配列される複数のコンタクトと、軸部とこの軸部より外径の大きい頭部を有する複数の棒状締結部材と、前記軸部が挿入される複数の穴の中心から所定の間隔を設けて互いに平行に延びる一対のスリットで区画される一対の弾性片を有し、この複数の穴が一列に設けられている板状締結部材と、を備え、前記ハウジングは、前記ヘッダー部の頂面から前記フレーム部の底面に貫通して前記棒状締結部材が挿入可能な複数の貫通穴を設け、前記穴の内径は前記軸部の外径より小さく形成され、前記貫通穴を介して当該穴に前記軸部を挿入すると、当該軸部は前記板状締結部材に対して抜去困難に前記一対の弾性片に係止され、前記ハウジングが前記プリント基板に締結されるコネクタ。
【００３６】
（８）の発明によるコネクタは、板状締結部材に設けられた一対の弾性片を有する穴に棒状締結部材の軸部を挿入することにより、コネクタをプリント基板に迅速に締結できる。従来のリベットのようにかしめ付け作業を不要としているからである。ここで、穴に軸部を挿入するとは、あくまで相対的なものであって、プリント基板から突出する軸部に板状締結部材の穴を挿入してもよく、板状締結部材をプリント基板に保持し、棒状締結部材を前記穴に挿入してもよい。又、一対の弾性片の先端は、棒状締結部材が挿入される方向と反対側に隆起するように予め突出形成されてもよく、一対の弾性片は、板状締結部材と同一平面を共有し、棒状締結部材が挿入されることにより、棒状締結部材が挿入される方向と反対側に隆起するように一対の弾性片が撓むようにしてもよい。
【００３７】
（９）  前記軸部が挿入される複数の穴は丸穴で形成され、前記貫通穴を介して当該丸穴に前記軸部を挿入すると、当該軸部は前記板状締結部材に対して抜去困難に前記複数の弾性片の先端円弧に係止され、前記ハウジングが前記プリント基板に締結される（７）又は（８）記載のコネクタ。
【００３８】
（１０）  前記ヘッダー部の頂面と前記複数の棒状締結部材との間に細長の金属板が介装される（７）から（９）のいずれかに記載のコネクタ。
【００３９】
（１０）の発明によるコネクタは、ヘッダー部の頂面と複数の棒状締結部材との間に細長の金属板を介装することにより、コネクタをプリント基板に強固に固定でき、同時に十分な機械的補強が成される。
【００４０】
（１１）  前記軸部は、前記複数の弾性片の先端円弧に係止される部位に円周溝を設ける（９）又は（１０）記載のコネクタ。
【００４１】
（１２）  前記軸部は、先端部近傍から前記複数の弾性片の先端円弧に係止される部位に至る領域に複数のＶ字状の円周溝を設ける（９）又は（１０）のいずれかに記載のコネクタ。
【発明の効果】
【００４２】
本発明による締結具は、軸部とこの軸部より外径の大きい頭部を有する棒状締結部材と、軸部が挿入される穴と、この穴の中心から放射状に延びる複数のスリットで区画される複数の弾性片と、を有する板状締結部材と、で構成され、穴の内径は軸部の外径より小さく形成され、穴に軸部を挿入すると、軸部は板状締結部材に対して抜去困難に複数の弾性片に係止されるので、従来のリベットのようにかしめ付け作業や、従来のねじのようにねじ回し作業を不要とし、被締結体を迅速に締結できる。
【００４３】
又、本発明によるコネクタは、板状締結部材に設けられた複数の弾性片を有する穴に棒状締結部材の軸部を挿入することにより、従来のリベットのようにかしめ付け作業を不要とし、コネクタをプリント基板に迅速に締結できる。
【発明を実施するための最良の形態】
【００４４】
以下、図面を参照して本発明を実施するための最良の形態を説明する。
【００４５】
図１は、本発明による締結具の一実施形態を示す斜視外観図である。図１は、本発明による板状締結部材と、本発明による棒状締結部材が対向配置されている。図２は、本発明による板状締結部材の変形例を示す平面図である。図３は、本発明による棒状締結部材の変形例を示す縦断面図である。
【００４６】
図４は、本発明によるコネクタの一実施形態を示す斜視分解組立図である。図５は、前記実施形態によるコネクタの背面図である。図６は、前記実施形態によるコネクタの平面図である。図７は、前記実施形態によるコネクタの正面図である。図８は、前記実施形態によるコネクタの縦断面図である。図９は、前記実施形態によるコネクタに用いられる板状締結部材の平面図である。図１０は、前記実施形態によるコネクタに用いられる板状締結部材の平面図である。
【００４７】
最初に、本発明による締結具の構成を説明する。図１において、本発明による締結具１０は、棒状締結部材１と板状締結部材２で構成されている。棒状締結部材１は、軸部１ａと軸部１ａより外径の大きい頭部１ｂを有している。板状締結部材２は、軸部１ａが挿入される穴２ａを有している。板状締結部材２は、穴２ａの中心から放射状に延びる複数のスリット２ｂで区画される複数の弾性片２ｃを有している。
【００４８】
図１において、穴２ａの内径は軸部１ａの外径より小さく形成されている。穴２ａに軸部１ａを挿入すると、軸部１ａは板状締結部材２に対して抜去困難に複数の弾性片２ｃの先端円弧に係止される。つまり、被締結体Ａ・Ｂを棒状締結部材１と板状締結部材２で締結できる。
【００４９】
図１において、棒状締結部材１と板状締結部材２は金属から成ることが好ましく、例えば、棒状締結部材１と板状締結部材２はステンレス材から成ってもよい。図１において、棒状締結部材１の頭部１ｂは、リベットの頭部のように半球状に形成されているが、円柱状に形成されてもよい。軸部１ａの長さは、被締結体Ａ・Ｂの厚さに対応して適宜設定される。
【００５０】
図１において、複数のスリット２ｂは４５度の等角度で設けられており、複数のスリット２ｂの幅は同一となっている。放射状に延びる複数のスリット２ｂの終端は、同一円周状に位置しており、この複数のスリット２ｂの終端に、スリット２ｂの幅より大きい穴２ｄを設けている。板状締結部材２は、図１に示された実施例に限定されることなく、以下に述べるような複数の弾性片２ｃ付き穴２ａを設けることも可能である。
【００５１】
図２（Ａ）において、穴２ａの中心から所定の間隔を設けて互いに平行に延びる一対のスリット２ｅが設けられている。互いに平行に延びる一対のスリット２ｅの終端は、穴２ａの中心から等距離であって、一対のスリット２ｅの終端は円弧に形成されている。そして、一対のスリット２ｅで区画される一対の弾性片２ｃが設けられる。図２（Ｂ）において、三つのスリット２ｂは１２０度の等角度で設けられており、三つのスリット２ｂの幅は同一となっている。放射状に延びる三つのスリット２ｂの終端は、同一円周状に位置しており、この複数のスリット２ｂの終端に、スリット２ｂの幅より大きい穴２ｄを設けている。
【００５２】
このように、スリット２ｂは二つ以上設けられてよく、穴２ａの直径が大きくなるほどスリット２ｂの数を増加することができる。又、図１において、板状締結部材２に一つの複数の弾性片２ｃ付き穴２ａが明示されているが、板状締結部材２に複数の穴２ａを設けることも可能である。例えば、複数の弾性片２ｃを有する複数の穴２ａが板状締結部材２に点在してもよく、複数の弾性片２ｃを有する複数の穴２ａが板状締結部材２に規則性をもって配列させてもよい。
【００５３】
一方、締結具１０は、複数の弾性片２ｃの先端円弧におけるエッジが軸部１ａの外周に食い込むように係止するので、軸部１ａの外周は一定以上の表面粗さが必要である。図１及び図３（Ａ）に示された軸部１ａは切削加工されており、軸部１ａの外周は複数の条溝が形成されて一定以上の表面粗さとなり、締結具１０は実用上、支障がないものとなっている。
【００５４】
しかし、締結具１０は、外観から係止状態が確認できるという安心感に乏しい。したがって、締結具１０の係止状態が確認できるように、複数の弾性片２ｃの先端円弧に係止される軸部１ａ部位に円周溝１ｃを設けることもできる（図３（Ｂ）参照）。例えば、被締結体Ａ・Ｂは厚さにバラツキがあることが想定される（図１参照）。このようなバラツキを吸収すべく、軸部１ａの先端部近傍から複数の弾性片２ｃの先端円弧に係止される部位に至る領域に複数のＶ字状の円周溝１ｄを設けることもできる（図３（Ｃ）参照）。
【００５５】
本発明による締結具は、軸部とこの軸部より外径の大きい頭部を有する棒状締結部材と、軸部が挿入される穴と、この穴の中心から放射状に延びる複数のスリットで区画される複数の弾性片と、を有する板状締結部材と、で構成され、穴の内径は軸部の外径より小さく形成され、穴に軸部を挿入すると、軸部は板状締結部材に対して抜去困難に複数の弾性片の先端円弧に係止されるので、従来のリベットのようにかしめ付け作業や、従来のねじのようにねじ回し作業を不要とし、被締結体を迅速に締結できる。
【００５６】
次に、本発明による締結具を用いたコネクタの構成を説明する。図４において、コネクタ３０は、ハウジング３と、複数のコンタクト４と、複数の棒状締結部材１と、板状締結部材２と、を備えている。ハウジング３は、相手側コネクタに挿入されるためのヘッダー部３ａがフレーム部３ｂから突出している（図８参照）。ハウジング３は、ヘッダー部３ａとフレーム部３ｂが一体で形成されている（図８参照）。複数のコンタクト４は、ヘッダー部３ａの両側面に二列に配置されている（図５及び図６参照）。
【００５７】
図８において、プリント基板６の実装面に形成されるパッド（図示せず）に接続されるためのコンタクト４のリード部４１は、ハウジング３の底面に沿って２列に配置されている。図８において、リード部４１はプリント基板６のパッドに対して電気的に接続するように弾性接触可能な略Ｌ字状の形状に形成されている。
【００５８】
図４において、棒状締結部材１は、軸部１ａと軸部１ａより外径の大きい頭部１ｂを有している。板状締結部材２は、各穴２ａの中心から放射状に延びる複数のスリット２ｂで区画される複数の弾性片２ｃを有している（図１参照）。板状締結部材２は、各穴２ａの中心から所定の間隔を設けて互いに平行に延びる一対のスリット２ｅで区画される一対の弾性片２ｃを有してもよい（図２（Ａ）参照）。そして、板状締結部材２は、複数の穴２ａが一列に設けられている。
【００５９】
図４において、ヘッダー部３ａの頂面からフレーム部３ｂの底面に貫通して棒状締結部材１が挿入可能な複数の貫通穴３１が、ハウジング３に設けられている。又、ヘッダー部３ａの頂面と複数の棒状締結部材１との間に、細長の金属板５が介装される（図８参照）。棒状締結部材１が挿入可能な複数の貫通穴５１が、細長の金属板５に設けられている。
【００６０】
図４において、板状締結部材２に設けられた各穴２ａの内径は、軸部１ａの外径より小さく形成されている。そして、貫通穴３１・５１を介して穴２ａに軸部１ａを挿入すると、軸部１ａは板状締結部材２に対して抜去困難に複数の弾性片２ｃの先端円弧に係止することにより、ハウジング３がプリント基板６に締結される。
【００６１】
図５から図７に示されたコネクタ３０は、プリント基板６に実装される前の状態図であり複数の軸部１ａがハウジング３から突出している。図５から図７に示されたコネクタ３０がプリント基板６に挿入され、更に、複数の軸部１ａが板状締結部材２に設けられた穴２ａに挿入されることにより、コネクタ３０をプリント基板６に締結できる。板状締結部材２は、例えば、図９及び図１０に示された外形形状が考えられる。板状締結部材２の外形形状は適宜に設計される。
【００６２】
図４から図８に示されるような、複数のコンタクト４がヘッダー部３ａの両側面に配列されているコネクタ３０は、一般にディアルインラインコネクタと呼ばれる。ディアルインラインプラグは、例えば、相手側コネクタはヘッダー部３ａの挿抜力をほとんど必要としないＺＩＦコネクタとなる。図４に示されたプリント基板６は、例えば、半導体試験装置に用いられるテストボードであってよく。例えば、このテストボードにコネクタ３０が９６個取り付けられる。
【００６３】
本発明によるコネクタは、板状締結部材に設けられた複数の弾性片を有する穴に棒状締結部材の軸部を挿入することにより、コネクタをプリント基板に迅速に締結できる。従来のリベットのようにかしめ付け作業を不要としているからである。又、発明によるコネクタは、ヘッダー部の頂面と複数の棒状締結部材との間に細長の金属板を介装することにより、コネクタをプリント基板に強固に固定でき、同時に十分な機械的補強が成される。又、本発明によるコネクタに用いられる棒状締結部材は、極めて小さくできる。例えば、頭部の外径は２ｍｍであり、軸部の外径は１ｍｍとすることができる。
【００６４】
又、複数の弾性片２ｃの先端円弧は、棒状締結部材１が挿入される方向と反対側に隆起するように予め突出形成されてもよく、複数の弾性片２ｃの先端円弧は、板状締結部材２と同一平面を共有し、棒状締結部材１が挿入されることにより、棒状締結部材１が挿入される方向と反対側に隆起するように複数の弾性片２ｃが撓むようにしてもよい。
【００６５】
更に、軸部１ａは、複数の弾性片２ｃの先端円弧に係止される部位に円周溝１ｃが設けられてもよく（図３（Ｂ）参照）、軸部１ａは、先端部近傍から複数の弾性片２ｃの先端円弧に係止される部位に至る領域に複数のＶ字状の円周溝１ｄが設けられてもよい（図３（Ｃ）参照）。
【図面の簡単な説明】
【００６６】
【図１】本発明による締結具の一実施形態を示す斜視外観図である。
【図２】本発明による板状締結部材の変形例を示す平面図である。
【図３】本発明による棒状締結部材の変形例を示す縦断面図である。
【図４】本発明によるコネクタの一実施形態を示す斜視分解組立図である。
【図５】前記実施形態によるコネクタの背面図である。
【図６】前記実施形態によるコネクタの平面図である。
【図７】前記実施形態によるコネクタの正面図である。
【図８】前記実施形態によるコネクタの縦断面図である。
【図９】前記実施形態によるコネクタに用いられる板状締結部材の平面図である。
【図１０】前記実施形態によるコネクタに用いられる板状締結部材の平面図である。
【符号の説明】
【００６７】
１    棒状締結部材
１ａ    軸部
１ｂ    頭部
２    板状締結部材
２ａ    穴
２ｂ・２ｅ    スリット
２ｃ    弾性片
１０    締結具
３０    コネクタ
【図１】
2007048566.tif 000003
【図２】
2007048566.tif 000004
【図３】
2007048566.tif 000005
【図４】
2007048566.tif 000006
【図５】
2007048566.tif 000007
【図６】
2007048566.tif 000008
【図７】
2007048566.tif 000009
【図８】
2007048566.tif 000010
【図９】
2007048566.tif 000011
【図１０】
2007048566.tif 000012